(57)【特許請求の範囲】
【請求項１】
給紙トレイに載置された用紙をピックアップして印刷処理を実行する印刷装置と、前記印刷装置により印刷された用紙に対して後処理を実行する後処理装置とを備えた印刷システムであって、
報知手段と、
前記給紙トレイに積載された用紙の残量を検知する残量検知手段と、
受信したジョブにウォームアップを必要とする後処理が含まれるか否かを判定する後処理判定手段と、
前記後処理判定手段により、受信した先頭のジョブに前記ウォームアップを必要とする後処理が含まれると判定され、かつ受信した後続のジョブに前記ウォームアップを必要とする後処理が含まれないと判定された場合、前記先頭のジョブの用紙設定と前記後続のジョブの用紙設定とが一致するか否かを判定する用紙設定判定手段と、
前記用紙設定判定手段により、前記先頭のジョブの用紙設定と前記後続のジョブの用紙設定とが一致すると判定された場合、前記後処理装置のウォームアップ中に、前記後続のジョブに基づいて前記印刷装置に印刷処理を実行させるとともに、前記残量検知手段により検知された前記印刷装置内の用紙枚数が前記先頭のジョブおよび前記後続のジョブで使用する用紙枚数より少ないとき、後続ジョブを開始する前に用紙を補充するように前記報知手段に報知させる実行管理手段と、
を備えたことを特徴とする印刷システム。
【請求項２】
前記給紙トレイに載置された用紙は１種類である
ことを特徴とする請求項１記載の印刷システム。
【発明の詳細な説明】
【技術分野】
【０００１】
本発明は、ウォームアップ時間を有効に活用しつつ、後処理装置のウォームアップ完了後に後処理が含まれるジョブに基づいて印刷処置および後処理を実行する印刷システムに関する。
【背景技術】
【０００２】
印刷システムは、ジョブに基づいて用紙に画像を印刷する印刷装置と、印刷装置により印刷された用紙に対して後処理を行う後処理装置とを備えている。
【０００３】
印刷装置は、例えば、色ごとにインクが貯留されたインクカートリッジを着脱可能に設けており、インクカートリッジからインクジェットヘッドにインクが供給され、インクジェットヘッドのノズルからインクを用紙に向けて吐出して画像や文字などを印刷する。
【０００４】
また、後処理装置は、用途に応じて様々な種類の後処理機能が搭載される。後処理機能とは、例えば、印刷された用紙を内容物として折り畳んで封筒に封入封緘する封入封緘処理や、背表紙を糊止めして製本する製本処理などを実行する機能である。後処理装置は、これらの後処理のうち、１つ以上の後処理を実行することができる機能を有しているが、封入封緘処理や製本処理などを実行する場合、糊の昇温などのために後処置装置のウォームアップが必要となる。
【０００５】
特許文献１には、設定された複数のジョブの中の、ウォームアップを必要とする後処理を施さないジョブの処理時間を算出すると共に、後処理装置のウォームアップ完了時間を算出し、後処理装置のウォームアップ完了前に、ジョブの処理時間、及び後処理装置のウォームアップ完了時間を基にして、入力操作手段により設定された複数のジョブの実行順序を決定しジョブを実行する画像形成装置に関する技術が提案されている。
【先行技術文献】
【特許文献】
【０００６】
【特許文献１】特開２００７−１６３５５９号公報
【発明の概要】
【発明が解決しようとする課題】
【０００７】
しかしながら、特許文献１に記載の技術では、後処理装置のウォームアップ完了前に、後処理を施さないジョブを実行するので、後処理装置のウォームアップ完了後に後処理を施すジョブを実行できない場合があった。
【０００８】
例えば、ジョブ毎に用紙設定（用紙サイズ、厚み、紙質）が異なり、後処理装置のウォームアップ完了前に、後処理を施さないジョブを実行する場合、後処理を施さないジョブの用紙設定に対応する用紙が載置された給紙トレイがないことがある。このような場合、ユーザは現在備えられている給紙トレイのいずれかを取り外し、後処理を施さないジョブの用紙設定に対応する用紙が載置された給紙トレイに差し替える。このとき、後処理を施すジョブに対応する用紙が取り外された給紙トレイに載置されているとすると、後処理を施さないジョブの実行後、印刷用紙は「用紙なし」と認識するので、後処理装置のウォームアップ完了後に後処理を施すジョブを実行できない。
【０００９】
本発明は、上記課題に鑑みてなされたものであり、ウォームアップ時間を有効に活用しつつ、後処理装置のウォームアップ完了後に後処理が含まれるジョブに基づいて印刷処置および後処理を実行できる印刷システムを提供することを目的とする。
【課題を解決するための手段】
【００１０】
上記目的を達成するため、本発明に係る印刷システムの第１の特徴は、給紙トレイに載置された用紙をピックアップして印刷処理を実行する印刷装置と、前記印刷装置により印刷された用紙に対して後処理を実行する後処理装置とを備えた印刷システムであって、受信したジョブにウォームアップを必要とする後処理が含まれるか否かを判定する後処理判定手段と、前記後処理判定手段により、受信した先頭のジョブに前記ウォームアップを必要とする後処理が含まれると判定され、かつ受信した後続のジョブに前記ウォームアップを必要とする後処理が含まれないと判定された場合、前記先頭のジョブの用紙設定と前記後続のジョブの用紙設定とが一致するか否かを判定する用紙設定判定手段と、前記用紙設定判定手段により、前記先頭のジョブの用紙設定と前記後続のジョブの用紙設定とが一致すると判定された場合、前記後処理装置のウォームアップ中に、前記後続のジョブに基づいて前記印刷装置に印刷処理を実行させる実行管理手段とを備えたことにある。
【００１１】
本発明に係る印刷システムの第２の特徴は、前記給紙トレイに載置された用紙は１種類であることにある。
【００１２】
本発明に係る印刷システムの第３の特徴は、さらに、報知手段と、前記給紙トレイに積載された用紙の残量を検知する残量検知手段と、を備え、前記実行管理手段は、前記後処理装置のウォームアップ中に、前記後続のジョブに基づいて前記印刷装置に印刷処理を実行する場合において、前記残量検知手段により検知された前記印刷装置内の用紙枚数が前記先頭のジョブおよび前記後続のジョブで使用する用紙枚数より少ないとき、後続ジョブを開始する前に用紙を補充するように前記報知手段に報知させることにある。
【発明の効果】
【００１３】
本発明に係る印刷システムの第１の特徴によれば、後処理判定手段が受信したジョブにウォームアップを必要とする後処理が含まれるか否かを判定し、用紙設定判定手段が後処理判定手段により、受信した先頭のジョブにウォームアップを必要とする後処理が含まれると判定され、かつ受信した後続のジョブにウォームアップを必要とする後処理が含まれないと判定された場合、先頭のジョブの用紙設定と後続のジョブの用紙設定とが一致するか否かを判定し、実行管理手段が用紙設定判定手段により、先頭のジョブの用紙設定と後続のジョブの用紙設定とが一致すると判定された場合、後処理装置のウォームアップ中に、後続のジョブに基づいて印刷装置に印刷処理を実行させる。
【００１４】
そのため、ウォームアップ中の時間を有効に活用してジョブを処理しつつ、ユーザが給紙トレイに載置されている用紙を先頭のジョブの用紙設定と異なる用紙設定の用紙に差し替えることを防止することができるので、後処理装置のウォームアップ完了後に後処理が含まれるジョブに基づいて印刷処理および後処理を確実に実行できる。
【００１５】
本発明に係る印刷システムの第２の特徴によれば、給紙トレイに載置された用紙は１種類であるので、先頭のジョブの用紙設定と後続のジョブの用紙設定が異なる場合、後続のジョブのユーザが給紙トレイに載置されている用紙を後続のジョブの用紙設定に差し替えることを確実に防止することができる。
【００１６】
本発明に係る印刷システムの第３の特徴によれば、ウォームアップ中の時間を有効に活用して後続ジョブの印刷処理を実行した場合、ウォームアップ完了後に先頭のジョブを印刷処理したいときに、用紙が必要枚数残って折らず印刷処理が停止することを回避することができる。
【図面の簡単な説明】
【００１７】
【図１】本発明の第１の実施形態に係る印刷システムの概略構成を示す説明図である。
【図２】本発明の第１の実施形態に係る印刷システムの機能を説明した説明図である。
【図３】本発明の第１の実施形態に係る印刷システムにおける処理手順を示したフローチャートである。
【図４】本発明の第１の実施形態に係る印刷システムにおける処理を示したタイムチャートである。
【図５】本発明の第２の実施形態に係る印刷システムにおける処理手順を示したフローチャートである。
【発明を実施するための形態】
【００１８】
以下、本発明の実施形態について図面を参照しながら説明する。
【００１９】
［第１の実施形態］
図１は、印刷装置２を製本装置３と併用して構成される印刷システム１の概略構成を示す説明図である。以下の説明において、ユーザが位置する図２の紙面表方向を前方とする。また、ユーザから視て上下左右を上下左右方向とする。
【００２０】
本実施形態に係る印刷システム１は、印刷物から冊子を作製するシステムである。印刷システム１は、印刷装置２と、製本装置３とを備えている。
【００２１】
印刷装置２は、製本装置３でくるみ製本により作成する冊子を構成する表紙用紙Ｐ１及び本身用紙Ｐ２に印刷を行うものである。
【００２２】
印刷装置２は、印刷装置筐体４（以下、適宜に筐体４という）を備えている。筐体４内には、印刷部５が設けられている。印刷部５は、表紙用紙Ｐ１及び本身用紙Ｐ２に印刷を行うものである。印刷部５は、シアン（Ｃ）、ブラック（Ｋ）、マゼンタ（Ｍ）、イエロー（Ｙ）の各色のインクをそれぞれ吐出するライン型のインクジェットヘッド６Ｃ，６Ｋ，６Ｍ，６Ｙを備えている。
【００２３】
また、筐体４内には、表紙用紙Ｐ１及び本身用紙Ｐ２を搬送するためのループ状の印刷搬送路７が印刷部５を囲むように設けられている。印刷搬送路７に沿った位置には、表紙用紙Ｐ１及び本身用紙Ｐ２を搬送する複数のローラ（図示せず）が配置されている。
【００２４】
筐体４の左側部にはメイン給紙部８が設けられている。
【００２５】
メイン給紙部８は、用紙が積載される給紙トレイ９と、給紙トレイ９に積載された用紙を印刷部５側へ送り出す給紙ローラ１０および、その給紙トレイに積載される用紙の積載量を検出可能とする残量検知手段であるセンサ等（図示せず）を備えている。また、メイン給紙部８は、給紙トレイ９と印刷搬送路７との間に設けられた給紙搬送路１１と、給紙搬送路１１に沿って配置され、用紙を印刷部５側へ搬送する複数のローラ（図示せず）とを備えている。
【００２６】
筐体４内における印刷部５の下側にはオプション給紙部１２が設けられている。オプション給紙部１２はオプション装備品であり、オプション給紙部１２を外した状態でも印刷処理を実行できる。
【００２７】
オプション給紙部１２は、用紙が収容される複数の給紙トレイ１３と、各給紙トレイ１３に収容された用紙を印刷部５側へそれぞれ送り出す給紙ローラ１４とを備えている。また、オプション給紙部１２は、各給紙トレイ１３と印刷搬送路７との間に設けられた給紙搬送路１５と、給紙搬送路１５に沿って配置され、用紙を印刷部５側へ搬送する複数のローラ（図示せず）とおよび、その給紙トレイに積載される用紙の積載量を検出可能とする残量検知手段であるセンサ等（図示せず）とを備えている。
【００２８】
なお、オプション給紙部１２を装備した印刷装置２では、メイン給紙部８が、表紙用紙Ｐ１を印刷部５側（印刷搬送路７側）へ給紙する給紙部として使用され、オプション給紙部１２が、本身用紙Ｐ２を印刷部５側（印刷搬送路７側）へ給紙する給紙部として使用される。図１は、印刷装置２がオプション給紙部１２を装備している場合の例を示している。
【００２９】
印刷搬送路７の左側上部には、表紙用紙Ｐ１及び本身用紙Ｐ２を一時的に収容するスイッチバック部１６が設けられている。また、筐体４内の左部からスイッチバック部１６内にかけて、スイッチバック搬送路１７が設けられている。スイッチバック搬送路１７は、両面印刷時において、表紙用紙Ｐ１及び本身用紙Ｐ２を表裏反転させて印刷部５側へ搬送するためのものである。
【００３０】
スイッチバック部１６の上面には、印刷後の表紙用紙Ｐ１や本身用紙Ｐ２が必要に応じて排出される排出部１８が設けられている。
【００３１】
筐体４内の右側部には、印刷搬送路７から送り出された表紙用紙Ｐ１及び本身用紙Ｐ２を製本装置３側（右方向）へ搬送するための連絡搬送路１９が設けられている。
【００３２】
印刷装置２は、印刷制御部２０を備えている。印刷制御部２０は、ＣＰＵ、ＲＡＭ、ＲＯＭ等を備えて構成される。印刷制御部２０は、印刷装置２の各部の動作を制御するものである。印刷制御部２０の詳細については後述する。
【００３３】
製本装置３は、印刷装置２で印刷された表紙用紙Ｐ１及び本身用紙Ｐ２に製本処理を施して冊子を作製するものである。
【００３４】
製本装置３は、図２に示すように、製本装置筐体３１（以下、適宜に筐体３１という）を備えている。筐体３１内には、印刷装置２の連絡搬送路１９から送り出された印刷済みの表紙用紙Ｐ１及び本身用紙Ｐ２を右方向へ搬送するための導入搬送路３２が設けられている。導入搬送路３２の基端部（左端部）は、連絡搬送路１９の先端部（右端部）に接続されている。
【００３５】
筐体３１内の右側上部には、印刷済みの本身用紙Ｐ２を整合して用紙束ＰＳを形成する整合部３３が設けられている。整合部３３は、複数の本身用紙Ｐ２を積載する整合トレイ３４を備えている。
【００３６】
また、筐体３１内の上部には、導入搬送路３２から送り出された印刷済みの表紙用紙Ｐ１及び本身用紙Ｐ２を整合部３３側へ搬送等するための上部製本搬送路３５が設けられている。上部製本搬送路３５の基端部（左端部）は、フリッパ（図示せず）により導入搬送路３２の先端部（右端部）に接続、遮断可能になっている。
【００３７】
筐体３１の上部中央には、印刷済みの表紙用紙Ｐ１を一時的に待機させるストックトレイ３６が設けられている。
【００３８】
筐体３１内におけるストックトレイ３６の左側には、断裁部３７が設けられている。断裁部３７は、印刷済みの表紙用紙Ｐ１を用紙束ＰＳの厚さに応じた寸法になるように断裁する。
【００３９】
筐体３１内には、整合トレイ３４（整合部３３）から送り出された用紙束ＰＳをクランプ（挟持）して移動可能なクランプ部３９が設けられている。
【００４０】
筐体３１内における整合トレイ３４の左下側には、用紙束ＰＳの背面（下面）にホットメルト接着剤Ｇを塗布する接着剤塗布部４０が設けられている。接着剤塗布部４０は、ホットメルト接着剤Ｇを収容する接着剤収容部４１を備えている。接着剤収容部４１内には、用紙束ＰＳにホットメルト接着剤Ｇを塗布する塗布ローラ４２と、ホットメルト接着剤Ｇを加温するヒータ５２と、ホットメルト接着剤Ｇの温度を測定する温度計５３とが設けられている。
【００４１】
接着剤塗布部４０の左側には、成形部４３が設けられている。成形部４３は、一対の背折りプレート４４と、一対の背折りプレート４４の下側に設けられた突き当てプレート４５とを備えている。
【００４２】
ホットメルト接着剤Ｇが塗布済みの用紙束ＰＳの背面（下面）が表紙用紙Ｐ１を介して突き当てプレート４５に当接した状態で、左右から一対の背折りプレート４４が表紙用紙Ｐ１を介して用紙束ＰＳを押圧することで、表紙用紙Ｐ１が折り曲げられるようになっている。これにより、冊子Ｂが成形される。
【００４３】
筐体３１内における上部製本搬送路３５の下側には、上部製本搬送路３５から送り出された印刷済みの表紙用紙Ｐ１を成形部４３へ搬送するための下部製本搬送路４６が設けられている。
【００４４】
導入搬送路３２、上部製本搬送路３５、下部製本搬送路４６、及びこれらに沿って配置されたローラ、表紙用紙Ｐ１をストックトレイ３６から上部製本搬送路３５側へ送り出すローラ等により、搬送部４７が構成される。
【００４５】
筐体３１内における成形部４３の下側には、成形部４３から落下する完成した冊子Ｂをガイドするガイド部材４８，４９が設けられている。ガイド部材４８，４９の下側には、成形部４３から落下した冊子Ｂを筐体３１外に排出する排出部５０が設けられている。
【００４６】
排出部５０は、成形部４３から落下した冊子Ｂを受け取り、冊子Ｂを搬送して左側から下方に落下させる上側コンベア５１を備えている。
【００４７】
また、排出部５０は、上側コンベア５１の下側に設けられた下側コンベア５６を備えている。下側コンベア５６は、上側コンベア５１から落下した冊子Ｂを受け取り、冊子Ｂを搬送して排出トレイ６６へ排出するものである。
【００４８】
製本装置３は、製本制御部６８を備えている。製本制御部６８は、ＣＰＵ、ＲＡＭ、ＲＯＭ等を備えて構成される。製本制御部６８は、製本装置３の各部の動作を制御するものである。製本制御部６８の詳細については後述する。
【００４９】
（統括制御装置８０の構成）
次に、統括制御装置８０の構成について、具体的に説明する。図２は、印刷システム１の機能を示すブロック図である。
【００５０】
図２に示すように、統括制御装置８０は、ジョブ受信部８１と、後処理判定部８２と、用紙設定判定部８３と、記憶部８４と、実行管理部８５とを備える。また、図示しないが、統括制御装置８０は、ユーザに対して様々なメッセージを表示される表示パネル（報知手段）を備えている。
【００５１】
ジョブ受信部８１は、端末装置１００との間で情報を送受信する。具体的に、ジョブ受信部８１は、ユーザが使用する端末装置１００からジョブを受信する。なお、ここでの通信は、例えば、イントラネット（企業内ネットワーク）や家庭内ネットワーク等を含むとともに、有線通信と無線通信との何れであってもよい。
【００５２】
後処理判定部８２は、受信したジョブにウォームアップを必要とする製本処理（後処理）が含まれるか否かを判定する。
【００５３】
用紙設定判定部８３は、後処理判定部８２により、受信した先頭のジョブに製本処理（後処理）が含まれる判定され、かつ受信した後続のジョブに製本処理（後処理）が含まれると判定された場合、先頭のジョブの用紙サイズ（用紙設定）と後続のジョブの用紙サイズ（用紙設定）とが一致するか否かを判定する。
【００５４】
記憶部８４は、ハードディスク又はメモリ等によって構成され、統括制御装置８０の処理に用いられる各種情報を記憶する。
【００５５】
実行管理部８５は用紙設定判定部８３により、先頭のジョブの用紙サイズ（用紙設定）と後続のジョブの用紙サイズ（用紙設定）とが一致すると判定された場合、製本装置３のウォームアップ中に、後続のジョブに基づいて印刷装置２に印刷処理を実行させる。
【００５６】
通信部８７は、印刷装置２、製本装置３のそれぞれとの間で、各種情報を送受信する。
【００５７】
＜印刷システム１の作用＞
次に、本発明の第１の実施形態に係る印刷システム１の作用について説明する。
【００５８】
図３は、本発明の第１の実施形態に係る印刷システム１における処理手順を示したフローチャートである。
【００５９】
図３に示すように、本発明の実施例１に係る印刷システム１の統括制御装置８０のジョブ受信部８１は、端末装置１００からジョブを受信した場合（ステップＳ１０１；ＹＥＳ）、後処理判定部８２は、この受信したジョブのヘッダに含まれる設定情報を参照して、製本処理が含まれているか否かを判定する（ステップＳ１０３）。
【００６０】
ステップＳ１０３において、製本処理が含まれていないと判定された場合（ＮＯ）、通信部８７からジョブを印刷装置２の印刷制御部２０に送信し、印刷制御部２０は、受信したジョブに基づいて各機器を制御して印刷処理を実行する（ステップＳ１０５）。
【００６１】
製本処理が含まれると判定された場合（ステップＳ１０３；ＹＥＳ）、製本処理はウォームアップが必要か否かを判定する（ステップＳ１０７）。例えば、温度計５３により、接着剤収容部４１内に貯留されたホットメルト接着剤Ｇの測定温度が適切に塗布される適正温度範囲外である場合、ウォームアップが必要と判定する。
【００６２】
ウォームアップが必要ないと判定された場合（ステップＳ１０７；ＮＯ）、通信部８７からジョブを印刷装置２の印刷制御部２０、および製本装置３の製本制御部６８に送信し、印刷制御部２０および製本制御部６８は、ウォームアップを行うことなく、それぞれ受信したジョブに基づいて各機器を制御して印刷処理および製本処理を実行する（ステップＳ１０９）。
【００６３】
ウォームアップが必要であると判定された場合（ステップＳ１０７；ＹＥＳ）、統括制御装置８０の後処理判定部８２は、ウォームアップを開始する（ステップＳ１１１）。具体的には、通信部８７を介して、後処理判定部８２からウォームアップの開始を指示された製本制御部６８が、接着剤塗布部４０のヒータ５２を制御して接着剤収容部４１内に貯留されたホットメルト接着剤Ｇを適正温度範囲内になるまで昇温させる。
【００６４】
そして、ウォームアップが完了するまで（ステップＳ１１３；ＹＥＳ）、すなわち、温度計５３により測定された接着剤収容部４１内に貯留されたホットメルト接着剤Ｇの測定温度が適正温度範囲内に入るまで、ジョブ受信部８１は、ジョブ（後続ジョブ）を受信したか否かを判定する（ステップＳ１１５）。
【００６５】
ウォームアップが完了すると（ステップＳ１１３；ＹＥＳ）、ステップＳ１０９に処理を移行する。
【００６６】
一方、ウォームアップが完了する前に（ステップＳ１１３；ＮＯ）、ジョブ受信部８１が、ジョブ（後続ジョブ）を受信した場合（ステップＳ１１５；ＹＥＳ）、後処理判定部８２は、この受信したジョブ（後続ジョブ）のヘッダに含まれる設定情報を参照して、製本処理が含まれているか否かを判定する（ステップＳ１１７）。
【００６７】
ジョブ（後続ジョブ）に製本処理が含まれていると判定された場合（ステップＳ１１７；ＹＥＳ）、実行管理部８５は、先頭のジョブの印刷処理および製本処理が完了した後に実行するため、後続ジョブを記憶部８４に記憶する（ステップＳ１１９）。
【００６８】
ジョブ（後続ジョブ）に製本処理が含まれていないと判定された場合（ステップＳ１１７；ＮＯ）、用紙設定判定部８３は、ステップＳ１０１において受信した先頭のジョブの用紙サイズと、ステップＳ１１５において受信した後続のジョブの用紙サイズとが一致するか否かを判定する（ステップＳ１２１）。
【００６９】
ステップＳ１０１において受信した先頭のジョブの用紙サイズと、ステップＳ１１５において受信した後続のジョブの用紙サイズとが一致しない場合（ステップＳ１２１；ＮＯ）、先頭のジョブの印刷処理を実行する前に、後続のジョブに基づいて印刷処理が実行されると、この後続のジョブに基づいて印刷処理するために、ユーザがメイン給紙部８やオプション給紙部１２に載置された用紙を差し替える可能性がある。この場合、後続のジョブに基づいた印刷処理の実行後であって、ウォームアップ完了後に先頭のジョブに基づいて印刷処理を実行しようとすると、用紙が不足し印刷処理を実行できない場合がある。
【００７０】
そこで、実行管理部８５は、先頭のジョブの印刷処理および製本処理が完了した後に実行するため、後続ジョブを記憶部８４に記憶する（ステップＳ１１９）。
【００７１】
ステップＳ１０１において受信した先頭のジョブの用紙サイズと、ステップＳ１１５において受信した後続のジョブの用紙サイズとが一致する場合（ステップＳ１２１；ＹＥＳ）、先頭のジョブの印刷処理を実行する前に、後続のジョブに基づいて印刷処理が実行されたとしても、ユーザによってメイン給紙部８やオプション給紙部１２に載置された用紙が差し替えられることはない。
【００７２】
そのため、先頭のジョブを実行するために製本装置３をウォームアップしている間に、通信部８７からジョブを印刷装置２の印刷制御部２０に送信し、印刷制御部２０は、受信した後続ジョブに基づいて各機器を制御して印刷処理を実行する（ステップＳ１２３）。これによりウォームアップ中に印刷処理を実行することができる。
【００７３】
図４は、本発明の第１の実施形態に係る印刷システム１における処理を示したタイムチャートである。ここで、メイン給紙部８には表紙用紙Ｐ１が載置されており、オプション給紙部１２には、Ａ４サイズとＢ５サイズの本身用紙Ｐ２が載置されているとする。ジョブ１は、ウォームアップを必要とする製本処理を含み、表紙用紙Ｐ１およびＡ４サイズの本身用紙Ｐ２を用いるジョブである。ジョブ２は、ウォームアップを必要とする製本処理が含まれてなく、Ａ３サイズの本身用紙Ｐ２を用いるジョブである。ジョブ３は、ウォームアップを必要とする製本処理が含まれてなく、Ａ４サイズの本身用紙Ｐ２を用いるジョブである。
【００７４】
図４に示すように、ｔ１時点において、統括制御装置８０がジョブ１を受信する。ジョブ１は、ウォームアップを必要とする製本処理を含むので、ｔ２時点から製本装置３のウォームアップを開始する。
【００７５】
ウォームアップの開始後、ｔ３時点においてジョブ２を受信するが、このジョブ２は、ウォームアップを必要とする製本処理が含まれていないが、Ａ３サイズの本身用紙Ｐ２を用いるジョブである。そのため、仮に、ウォームアップ中にジョブ２を実行する場合、ユーザがメイン給紙部８やオプション給紙部１２に載置された用紙をＡ３サイズの用紙に差し替える可能性がある。このとき、ジョブ２に基づいた印刷処理の実行後であって、ウォームアップ完了後にジョブ１に基づいて印刷処理を実行しようとすると、必要な用紙が差し替えられており印刷処理を実行できない場合がある。そのため、本発明の第１の実施形態に係る印刷システム１では、ｔ３時点において受信したジョブ２は受信後直ぐに実行せずに記憶部８４に一旦記憶される。
【００７６】
次に、ウォームアップの開始後、ｔ４時点においてジョブ３を受信する。ジョブ３は、ウォームアップを必要とする製本処理が含まれておらず、Ａ４サイズの本身用紙Ｐ２を用いるジョブである。すなわち、後続のジョブ３の用紙サイズがジョブ１の用紙サイズと一致するので、ウォームアップ中にジョブ３を実行したとしても、ユーザがメイン給紙部８やオプション給紙部１２に載置された用紙を差し替える必要はない。
【００７７】
そこで、本発明の第１の実施形態に係る印刷システム１では、ｔ５時点において、ジョブ３に基づいて印刷処理を実行する。
【００７８】
次に、ｔ６時点において、ウォームアップが完了すると受信したジョブ１に基づいて印刷処理および製本処理を実行する。
【００７９】
そして、ジョブ１に基づいた印刷処理および製本処理の実行後のｔ７時点において、一時的に記憶部８４に記憶されていたジョブ２に基づいて印刷処理を実行する。
【００８０】
このように、本発明の第１の実施形態に係る印刷システム１によれば、用紙設定判定部８３が、後処理判定部８２により、受信した先頭のジョブが製本処理（後処理）を必要とすると判定され、かつ受信した後続のジョブが製本処理（後処理）を必要としないと判定された場合、先頭のジョブの用紙サイズ（用紙設定）と後続のジョブの用紙サイズ（用紙設定）とが一致するか否かを判定し、実行管理部８５が、用紙設定判定部８３により、先頭のジョブの用紙サイズ（用紙設定）と後続のジョブの用紙サイズ（用紙設定）とが一致すると判定された場合、製本装置３のウォームアップ中に、後続のジョブに基づいて印刷装置２に印刷処理を実行させる。そのため、製本装置３（後処理装置）のウォームアップ完了後に後処理を施す先頭ジョブに基づいて実行できるように、製本装置３（後処理装置）のウォームアップ中に実行するジョブを選択することができる。
【００８１】
なお、本発明の第１の実施形態に係る印刷システム１の印刷装置２は、メイン給紙部８とオプション給紙部１２とを備えているが、オプション給紙部１２はオプション装備品であり、オプション給紙部１２を外し、メイン給紙部８のみの状態でも処理を実行できる。このような装置構成において、ウォームアップを必要とする後処理が含まれる先頭のジョブの用紙サイズとウォームアップを必要とする後処理が含まれない後続のジョブの用紙サイズとが一致しない場合、先頭のジョブより後続のジョブを優先して実行するようにすると、後続のジョブの用紙サイズに合わせるため、ユーザは確実にメイン給紙部８に載置されている用紙を差し替える。そのため、本発明の第１の実施形態に係る印刷システム１では、先頭のジョブの用紙サイズと後続のジョブの用紙サイズとが一致すると判定された場合のみ、製本装置３のウォームアップ中に、後続のジョブに基づいて印刷装置２に印刷処理を実行させるので、オプション給紙部１２を外されメイン給紙部８のみの状態において、ユーザがメイン給紙部８に載置されている用紙を差し替えることを防止することができる。
【００８２】
また、メイン給紙部８とオプション給紙部１２とを備えている場合であっても、全て同一の用紙サイズが載置されている場合も同様に、ウォームアップを必要とする後処理が含まれる先頭のジョブの用紙サイズとウォームアップを必要とする後処理が含まれない後続のジョブの用紙サイズとが一致しない場合、先頭のジョブより後続のジョブを優先して実行するようにすると、後続のジョブの用紙サイズに合わせるため、ユーザは確実にメイン給紙部８またはオプション給紙部１２に載置されている用紙を差し替える。
【００８３】
そのため、このような場合であっても、本発明の第１の実施形態に係る印刷システム１では、先頭のジョブの用紙サイズと後続のジョブの用紙サイズとが一致すると判定された場合のみ、製本装置３のウォームアップ中に、後続のジョブに基づいて印刷装置２に印刷処理を実行させるので、ユーザがメイン給紙部８またはオプション給紙部１２に載置されている用紙を差し替えることを防止することができる。
【００８４】
すなわち、メイン給紙部８およびオプション給紙部１２に載置された用紙サイズが１種類である場合、よりユーザが用紙を差し替えることを防止することができる。
【００８５】
本発明の第１の実施形態に係る印刷システム１では、先頭のジョブの用紙サイズと後続のジョブの用紙サイズとが一致すると判定された場合、製本装置３のウォームアップ中に、後続のジョブに基づいて印刷装置２に印刷処理を実行させたが、用紙設定は用紙サイズに限らず、用紙の厚みや、用紙も紙質などを用いてもよいし、これらの組み合わせによって、先頭のジョブの用紙設定と後続のジョブの用紙設定とが一致するか否かを判定するようにしてもよい。
【００８６】
また、本発明の第１の実施形態では、印刷装置２と製本装置３とを備えた印刷システム１を例に挙げて説明したが、後処理装置は、製本装置３に限らず、印刷された用紙を内容物として折り畳んで封筒に封入封緘する封入封緘装置であってもよい。すなわち、ウォームアップが必要な後処理装置であればよい。
【００８７】
［第２の実施形態］
本発明の第１の実施形態では、先頭のジョブの用紙サイズと、後続のジョブの用紙サイズとが一致する場合、先頭のジョブを実行するために製本装置３をウォームアップしている間に、受信した後続ジョブに基づいて印刷処理を実行したが、これに限らない。
【００８８】
本発明の第２の実施形態では、先頭のジョブの用紙サイズと、後続のジョブの用紙サイズとが一致する場合、用紙残量に応じて用紙エラーを報知する印刷システム１を例に挙げて説明する。なお、本発明の第２の実施形態に係る印刷システム１の構成については、図１および図２に示した印刷システム１の構成と同一であるので、説明を省略する。
【００８９】
図５は、本発明の第２の実施形態に係る印刷システム１における処理手順を示したフローチャートである。なお、ステップＳ１０１〜Ｓ１２３の処理は、図３に示したステップＳ１０１〜Ｓ１２３の処理と同一であるので、説明を省略する。
【００９０】
図５に示すように、ステップＳ１０１において受信した先頭のジョブの用紙サイズと、ステップＳ１１５において受信した後続のジョブの用紙サイズとが一致する場合（ステップＳ１２１；ＹＥＳ）、実行管理部８５は、用紙残量が補充条件を満たすか否かを判定する（ステップＳ２０１）。具体的には、実行管理部８５は、メイン給紙部８およびオプション給紙部１２に設けられた用紙残量センサ（用紙センサ）の検出値に基づいて、先頭および後続のジョブの用紙サイズの用紙残量を算出する。そして、先頭および後続のジョブで使用する用紙枚数が、算出した用紙残量を超えている場合、用紙残量が補充条件を満たすと判定する（ステップＳ２０１；ＹＥＳ）。
【００９１】
そして、用紙残量が補充条件を満たすと判定された場合（ステップＳ２０１；ＹＥＳ）、印刷処理中に用紙切れが発生するということであるので、実行管理部８５は、図示しない表示パネルに例えば、「用紙を補充してください。」というメッセージを表示させる。これにより、先頭のジョブの印刷中または後続のジョブの印刷中に、ユーザがメイン給紙部８およびオプション給紙部１２に用紙を補充できるので、用紙切れが発生することを防止することができる。
【００９２】
また、ここでは、実行管理部８５は、図示しない表示パネルにメッセージを表示させた後、後続ジョブに基づいて印刷処理を実行したが（ステップＳ１２３）、これに限らず、表示パネルにメッセージを表示させた後も、先頭および後続のジョブで使用する用紙枚数が、算出した用紙残量を超えているか否かを監視し、先頭および後続のジョブで使用する用紙枚数が、算出した用紙残量以下となった場合に、後続ジョブに基づいて印刷処理を実行するようにしてもよい。これにより、確実にユーザが用紙を補充した後に、後続ジョブに基づいて印刷処理を開始することができる。
【００９３】
また、本発明の第２の実施形態では、用紙残量が補充条件を満たすと判定された場合、実行管理部８５は、図示しない表示パネルに例えば、「用紙を補充してください。」というメッセージを表示させた後に、後続ジョブに基づいて印刷処理を実行したが、これに限らず、先に印刷処理を実行するようにしてもよい。
【００９４】
具体的には、ステップＳ１０１において受信した先頭のジョブの用紙サイズと、ステップＳ１１５において受信した後続のジョブの用紙サイズとが一致する場合（ステップＳ１２１；ＹＥＳ）、実行管理部８５は、まず後続ジョブに基づいて印刷処理を実行する（ステップＳ１２３）。そして、後続ジョブに基づいて印刷処理の完了後に、用紙残量が補充条件を満たすと判定された場合（ステップＳ２０１；ＹＥＳ）、図示しない表示パネルに例えば、「用紙を補充してください。」というメッセージを表示させるようにしてもよい。
【符号の説明】
【００９５】
１…印刷システム
２…印刷装置
３…製本装置（後処理装置）
５…印刷部
６Ｃ，６Ｋ，６Ｍ，６Ｙ…インクジェットヘッド
７…印刷搬送路
８…メイン給紙部
９…給紙トレイ
１２…オプション給紙部
１３…給紙トレイ
１６…スイッチバック部
１８…排出部
２０…印刷制御部
３３…整合部
３７…断裁部
３９…クランプ部
４０…接着剤塗布部
４１…接着剤収容部
４２…塗布ローラ
４３…成形部
４７…搬送部
５０…排出部
５２…ヒータ
５３…温度計
６８…製本制御部
８０…統括制御装置
８１…ジョブ受信部
８２…後処理判定部
８３…用紙設定判定部
８４…記憶部
８５…実行管理部
８７…通信部
【図１】
0006572111.tif 000002
【図２】
0006572111.tif 000003
【図３】
0006572111.tif 000004
【図４】
0006572111.tif 000005
【図５】
0006572111.tif 000006